(57)【要約】【課題】  コネクタの小型化が可能であり、レバー解除作業性を向上するレバー嵌合式コネクタを提供する。【解決手段】  雌ハウジング２に、レバー５を挿通するためのレバー挿通孔６が設けられ、このレバー挿通孔６の内壁６Ａには、レバー５が所定の回転位置にあるときのみレバー５の外周面に軸方向に沿って設けられたキー溝５４を介してレバー５を雌ハウジング２に挿通可能にするリブ１０と、可撓性を有するレバー保持ロック１１とが設けられ、リブ１０がレバー保持ロック１１と同時にレバー５に設けられた抜け止め溝５６の壁部５７に当接してレバー５を抜け止め保持するようにした。【選択図】      図３
2006073411.tif 000002
【特許請求の範囲】
【請求項１】
一方のコネクタハウジングに回転可能に挿通、保持されたロッド状のレバーの回転によって他方のコネクタハウジングを引き込み、前記両方のコネクタハウジング同士を嵌合させるレバー嵌合式コネクタであって、
前記一方のコネクタハウジングは、前記レバーを挿通するための挿通孔が設けられ、当該挿通孔の内壁には、前記レバーが所定の回転位置にあるときのみ前記レバーの外周面に軸方向に沿って設けられた案内溝を介して前記レバーを前記一方のコネクタハウジングに挿通可能にするリブと、可撓性を有するレバー保持ロックと、が設けられ、
前記リブが、前記レバー保持ロックと同時に前記レバーに設けられた抜け止め部に当接し前記レバーを抜け止め保持することを特徴とするレバー嵌合式コネクタ。
【請求項２】
請求項１記載のレバー嵌合式コネクタであって、
前記抜け止め部は、
前記案内溝に連続して前記レバーの周方向に設けられて前記リブが当接する第１の抜け止め溝の壁部と、
前記第１の抜け止め溝に平行して前記レバーの周方向に設けられて前記レバー保持ロックが当接する第二の抜け止め溝の壁部と、
からなることを特徴とするレバー嵌合式コネクタ。
【請求項３】
請求項１記載のレバー嵌合式コネクタであって、
前記リブは、前記レバー保持ロックの前記抜け止め部との当接部に対して、前記レバー保持ロックのオーバーストローク分だけ前記レバーの長手方向にずらして配置されており、
前記抜け止め部は、前記案内溝に連続して前記レバーの周方向に設けられた抜け止め溝における前記レバーの先端側に位置する壁面であり、
前記抜け止め溝は、前記リブが当接する一定幅の幅広部と、前記レバーが本係止状態にあるときだけ前記レバー保持ロックと当接することで前記リブと同時に前記レバーを抜け止め保持するための幅狭部が設けられていることを特徴とするレバー嵌合式コネクタ。
【請求項４】
請求項３記載のレバー嵌合式コネクタであって、
前記幅広部と前記幅狭部はテーパ面を介して連続していることを特徴とするレバー嵌合式コネクタ。
【請求項５】
請求項１乃至請求項４のいずれか一項に記載されたレバー嵌合式コネクタであって、
前記レバーの基部には、操作部が一体に設けられていることを特徴とするレバー嵌合式コネクタ。
【発明の詳細な説明】
【技術分野】
【０００１】
本発明は、雌雄のコネクタをレバーの回動操作により嵌合、離脱させることができるレバー嵌合式コネクタに関する。
【背景技術】
【０００２】
従来、図１２に示すような、ボルトの回動により雌雄のコネクタを嵌合させるボルト嵌合式コネクタが知られている（例えば、特許文献１参照。）。このボルト嵌合式コネクタでは、図１２に示すように、雌ハウジング１００に形成されたボルト挿通孔１０１にボルト１０２を回転可能に挿通した状態で、ボルト１０２を一対の可撓性アーム１０３で両側から保持するようになっている。図１２及び図１３に示すように、これら可撓性アーム１０３の自由端の対向する面には、ボルト１０２の周面に周回するように形成した凹溝１０４に係合する突起１０５が突設されている。このようにボルト１０２が雌ハウジング１００に保持された状態で、ボルト１０２の先端を図示しない雄ハウジングに固定したナットに螺合させて、ボルト１０２を回転操作することにより、雌雄のハウジング同士を引き寄せて雌雄のハウジングを嵌合させるようになっている。
【特許文献１】特開平１１−５４２０３号公報（第１頁、図１）
【発明の開示】
【発明が解決しようとする課題】
【０００３】
しかしながら、上述した従来のボルト嵌合式コネクタでは、雌ハウジング１００にボルト１０２を係止する手段として一対の可撓性アーム１０３を用いているため、ボルト１０２を締める際に、可撓性アーム１０３が座屈し易く、ボルト１０２を保持する力が低下することが懸念されていた。
【０００４】
この可撓性アーム１０３のボルト保持力を大きくするには、可撓性アーム１０３自体を大きくすることで強度を高める必要があった。ところが、コネクタの小型化が進む中で、スペース要件の厳しいコネクタでは、可撓性アーム１０３を大きくできないため、嵌合性能を満足できなくなるという問題が懸念されている。
【０００５】
また、上述した従来のボルト嵌合式コネクタでは、一対の可撓性アーム１０３でボルト１０２を保持するため、雌雄のハウジング同士を離脱して嵌合を解除するための作業の際に、一対の可撓性アーム１０３を同時に解除させることが必要となり、解除作業性が悪いという問題点があった。
【０００６】
そこで、本発明の目的は、コネクタの小型化が可能であり、レバー解除作業性を向上するレバー嵌合式コネクタを提供することにある。
【課題を解決するための手段】
【０００７】
請求項１記載の発明は、一方のコネクタハウジングに回転可能に挿通、保持されたロッド状のレバーの回転によって他方のコネクタハウジングを引き込み、前記両方のコネクタハウジング同士を嵌合させるレバー嵌合式コネクタであって、前記一方のコネクタハウジングは、前記レバーを挿通するための挿通孔が設けられ、当該挿通孔の内壁には、前記レバーが所定の回転位置にあるときのみ前記レバーの外周面に軸方向に沿って設けられた案内溝を介して前記レバーを前記一方のコネクタハウジングに挿通可能にするリブと、可撓性を有するレバー保持ロックと、が設けられ、前記リブが、前記レバー保持ロックと同時に前記レバーに設けられた抜け止め部に当接し前記レバーを抜け止め保持することを特徴としている。
【０００８】
請求項２記載の発明は、請求項１記載のレバー嵌合式コネクタであって、前記抜け止め部は、前記案内溝に連続して前記レバーの周方向に設けられて前記リブが当接する第１の抜け止め溝の壁部と、前記第１の抜け止め溝に平行して前記レバーの周方向に設けられて前記レバー保持ロックが当接する第二の抜け止め溝の壁部と、からなることを特徴としている。
【０００９】
請求項３記載の発明は、請求項１記載のレバー嵌合式コネクタであって、前記リブは、前記レバー保持ロックの前記抜け止め部との当接部に対して、前記レバー保持ロックのオーバーストローク分だけ前記レバーの長手方向にずらして配置されており、前記抜け止め部は、前記案内溝に連続して前記レバーの周方向に設けられた抜け止め溝における前記レバーの先端側に位置する壁面であり、前記抜け止め溝は、前記リブが当接する一定幅の幅広部と、前記レバーが本係止状態にあるときだけ前記レバー保持ロックと当接することで前記リブと同時に前記レバーを抜け止め保持するための幅狭部が設けられていることを特徴としている。
【００１０】
請求項４記載の発明は、請求項３記載のレバー嵌合式コネクタであって、前記幅広部と前記幅狭部はテーパ面を介して連続していることを特徴としている。
【００１１】
請求項５記載の発明は、請求項１乃至請求項４のいずれか一項に記載されたレバー嵌合式コネクタであって、前記レバーの基部には、操作部が一体に設けられていることを特徴としている。
【発明の効果】
【００１２】
請求項１記載の発明によれば、一方のコネクタハウジングに形成された挿通孔の内壁に設けられたリブと、レバーに形成された案内溝とが一致したときにだけ、レバーを挿通孔内に挿入することができる。このため、レバーが一方のコネクタハウジング内に所定の回転位置以外に位置するときに挿入されることが防止できる。
【００１３】
また、請求項１記載の発明によれば、挿通孔の内壁に設けられた可撓性を有するレバー保持ロックとリブとが、レバーに形成された抜け止め部に同時に当接してレバーを抜け止め保持することができる。レバーを解除する場合、リブを案内溝に合致させることで、レバー保持ロックがレバーに係合している状態のみを解除することにより、レバー解除することが可能となり、レバー解除作業性を向上することができる。
【００１４】
さらに、請求項１記載の発明では、レバーの案内溝に、挿通孔の内壁に設けられたリブが収容されることでレバーの挿通孔への挿入が可能となるため、挿通孔とレバーとががたつきの発生しない程度に密に嵌合する寸法設定が可能となる。このため、可撓性を有するレバー保持ロックの強度や大きさに関係なく、レバー保持ロックを挿通孔に挿入した状態でレバーがぐらつくことがない。したがって、一方のコネクタハウジングにレバーを保持した状態でレバーを回動させて、他方のコネクタハウジングを一方のコネクタハウジングに結合させる場合に、レバーのぐらつきが抑えられているため、他方のコネクタハウジングを確実に一方のコネクタハウジング側に結合させることができる。
【００１５】
請求項２記載の発明によれば、一方のコネクタハウジングの挿通孔にレバーを保持する際に、挿通孔内壁に設けたリブが当接してレバーの軸方向の移動を規制する第１の抜け止め溝と、この第１の抜け止め溝と平行な第２の抜け止め溝とを、レバーに形成したことにより、リブとレバー保持ロックとが挿通孔の軸方向に互いに異なる位置にあっても同時にレバーを抜け止め保持することが可能となる。
【００１６】
請求項３記載の発明によれば、リブと、レバー保持ロックにおける抜け止め部との当接部と、がレバー保持ロックのオーバーストローク分だけレバーの長手方向にずれた位置に配置されているため、レバーには、リブが当接する幅広部の壁面と、本係止状態にあるときにレバー保持ロックと当接する幅狭部の壁面とが形成されており、レバーのがたつきを防止することができる。
【００１７】
請求項４記載の発明によれば、請求項３記載の発明の効果に加えて、幅広部の壁面と幅狭部の壁面とをテーパ面で連続させたことにより、雌雄のハウジングの嵌合を行うために、レバーを回動操作する際に、レバー保持ロックがテーパ面を滑って幅狭部の壁面がレバー保持ロックに対して円滑に移動することができ、操作性を向上することができる。
【００１８】
請求項５記載の発明によれば、レバーの基部に操作部を一体に設けたことにより、レバーの回動操作を容易にすることができる。
【発明を実施するための最良の形態】
【００１９】
以下、本発明の実施の形態に係るレバー嵌合式コネクタの詳細を説明する。
【００２０】
本発明の実施の形態に係るレバー嵌合式コネクタの概略は、一方のコネクタハウジングとしての雌ハウジングに回転可能に挿通、保持されたロッド状の部分を有するレバーの回転によって他方のコネクタハウジングとしての雄ハウジングを引き込み、両方のコネクタハウジング同士を嵌合させるものである。雌ハウジングには、レバーを挿通するための挿通孔が設けられている。この挿通孔の内壁には、レバーが所定の回転位置にあるときのみレバーを雌ハウジングに挿通可能にするリブと、可撓性を有するレバー保持ロックと、が設けられている。そして、このリブが、レバー保持ロックと同時にレバーに設けられた抜け止め部に当接しレバーを抜け止め保持するように構成されている。
【００２１】
次に、本実施の形態に係るレバー嵌合式コネクタを図面に基づいて説明する。図１に示すように、本実施の形態に係るレバー嵌合式コネクタ１は、雌ハウジング２と、雄ハウジング３と、ムービングプレート４と、レバー５と、から大略構成されている。なお、図２は上記ムービングプレート４を雄ハウジング３に収納、セットした状態の側面図である。
【００２２】
［雌ハウジングの構成］
図１に示すように、雌ハウジング２は、略中央に嵌合方向Ａ（矢示する）に貫通する挿通孔としてのレバー挿通孔６が形成されている。また、雌ハウジング２は、レバー挿通孔６の周囲に複数のキャビティ７が嵌合方向Ａに沿って貫通して形成されている。各キャビティ７内には、図示しない雌端子金具が収容、保持されている。
【００２３】
また、本実施の形態の雌ハウジング２においては、雌ハウジング２と雄ハウジング３との嵌合部分を通らずに、雌ハウジング２の嵌合方向Ａの一方から他方に向けて図示しないワイヤーハーネスを挿通、配置することができるスルー配索用通路８が形成されている。
【００２４】
なお、雌ハウジング２における、レバー５を挿入する側の端面には、電線を案内、保護する図示しないカバーが備えられている。
【００２５】
上記レバー挿通孔６は、雌ハウジング２の非嵌合面側の略中央から嵌合する方向と反対側に突出する筒体９の筒孔であり、雌ハウジング２の本体を貫通するように開設されている。
【００２６】
図３及び図６に示すように、レバー挿通孔６の内壁には、レバー挿通孔６内に向けて突出するリブ１０と、このレバー挿通孔６に臨む、可撓性を有するアーム状のレバー保持ロック１１と、回転防止用ロック１２と、が設けられている。
【００２７】
リブ１０は、直方体形状の小突起であり、後述するレバー５に形成した案内溝としてのキー溝５４にレバー５が雌ハウジング２に対して所定の回転角度のときに入り込むようになっている。
【００２８】
レバー保持ロック１１は、図３、図４及び図６に示すように、レバー挿通孔６の内壁の一部をなし、自由端にレバー挿通孔６内に向けて突出するレバー保持用突起１１Ａが形成されている。また、レバー保持ロック１１の自由端の外側部分には、図示しない解除用治具を引っ掛けるレバー解除用突起１１Ｂが、嵌合方向Ａの雄ハウジング３側に向けて突設されている。レバー保持ロック１１の基部は、図３及び図４に示すように、嵌合方向Ａにおけるレバー入口側でレバー挿通孔６の内壁６Ａに一体に設けられている。
【００２９】
そして、本実施の形態においては、図３及び図６に示すように、リブ１０と、レバー保持ロック１１のレバー保持用突起１１Ａとが、レバー挿通孔６におけるほぼ同一の奥行き位置に配置され、互いに回転軸を中心として略９０°ずれた位置に配置されている。
【００３０】
上記回転防止用ロック１２は、図３及び図５（Ａ）、（Ｂ）に示すように、雌ハウジング２の筒体９の入口側端部に設けられている。この回転防止用ロック１２は、中間部が筒体９に一体的に設けられたものであり、筒体９の入口側端部から立ち上がる反発性を有する支持部１２Ａの上部に解除操作用板部１２Ｂが連続的の形成され、この解除操作用板部１２Ｂの両側下部より垂下アーム１２Ｃがレバー挿通孔６の内奥へ向けて延在され、これら一対の垂下アーム１２Ｃの端部が略矩形板状の回転ロック部１２Ｄに連続して形成されている。
【００３１】
回転防止用ロック１２の回転ロック部１２Ｄは、図６に示すように、レバー挿通孔６の内壁６Ａにおいて、リブ１０やレバー保持ロック１１のレバー保持用突起１１Ａよりも、レバー挿通孔６のレバー入口側にずれた位置にある。また、本実施の形態においては、回転防止用ロック１２は、レバー挿通孔６の回転軸を中心として、レバー保持ロック１１と１８０°をなす位置に、すなわちレバー保持ロック１１と対向する位置に、配置されている。
【００３２】
また、雌ハウジング２における、雄ハウジング３と嵌合する側には、図１に示すように、スルー配索用通路８と雌ハウジング２の嵌合部分とを区画する仕切板１３が形成されている。
【００３３】
［雄ハウジングの構成］
次に、図１〜図３を用いて雄ハウジング３の構成を説明する。雄ハウジング３は、本体の嵌合面側に上記雌ハウジング２側に向けて突出するフード部１４が形成され、このフード部１４内に雌ハウジング２が嵌合するようになっている。なお、フード部１４は、雌ハウジング２との嵌合する部分を取り囲む形状であり、雌雄のハウジング２、３が嵌合したときに、雌ハウジング２の仕切板１３が、フード部１４の外側に配置される構造となっている。また、フード部１４内の雄ハウジング３の本体には、嵌合方向に沿って複数のキャビティ１５が形成されている。これらキャビティ１５には、図示しない雄端子金具が収容、固定され、これら雄端子金具がフード部１４内に突出するようになっている。
【００３４】
そして、雄ハウジング３における略中央部には、互いに対向して対向面が仮想円筒の周面の一部をなす一対のレバー係合板１６が、フード部１４内に突出するように設けられている。なお、これら一対のレバー係合板１６同士の対向面は、レバー５の外周面と摺接するように寸法設定されている。さらに、これら一対のレバー係合板１６の対向面には、互いに対峙する位置に、後述するレバー５の外周面に形成したスクリュウ溝５５Ａ、５５Ｂに捕捉、収容される係合突起１６Ａが突設されている。
【００３５】
［ムービングプレートの構成］
図１を用いてムービングプレート４の構成を簡単に説明する。ムービングプレート４は、雄ハウジング３のフード部１４内に収容される形状であり、フード部１４内に突設されている図示しない雄端子金具のそれぞれを挿入する複数の端子挿入孔１７が形成されている。また、雄ハウジング３のフード部１４内の一対のレバー係合板１６を挿通させる略矩形状の切り欠き部１８が形成されている。また、この切り欠き１８の四隅には、雌ハウジング２に形成された図示しない係止突部と係合する係止片１９が雌ハウジング２側へ向けて突設されている。さらに、ムービングプレート４の周縁の４箇所にも係止片２０が突設されている。
【００３６】
［レバーの構成］
次に、図１〜図３、図６及び図８を用いてレバー５の構成を説明する。本実施の形態では、レバー５は、雌雄のハウジング２、３に挿入されるレバー本体５１と、このレバー本体５１における雌ハウジング２へ挿入する方向と反対側となる後端部に、手で持って回転操作を行うための操作部５２、５３が形成されてなる。操作部５２は、レバー本体５１に直角をなすように設けられた比較的長いロッド状の把持部であり、操作部５３は、上記操作部５２に所定角度（本実施の形態では約７０°）をもってレバー本体５１に直角をなすように設けられている。
【００３７】
レバー本体５１の長さは、雌ハウジング２と雄ハウジング３とが嵌合していない状態で且つ両ハウジング２、３を当接させた状態において、少なくとも、雌ハウジング２のレバー挿通孔６を貫通して雄ハウジング３の一対のレバー係合板１６同士の間に至る長さに設定されている。
【００３８】
レバー本体５１の先端部分は、先端へ向けて漸次細くなるように形成されている。このように先端へ向けて細くなる構造であるため、レバー本体５１が、雌ハウジング２のレバー挿通孔６や雄ハウジング３の一対のレバー係合板１６同士の間に案内され易くなっている。
【００３９】
また、レバー本体５１の周面には、軸方向に沿って先端部から所定長さの直線状の案内溝としてのキー溝５４が１本形成されている。そして、レバー本体５１の先端部からキー溝５４の長さより短い範囲には、約１回転するスクリュウ溝５５Ａ、５５Ｂが、先端部の互いに反対側周面を起点として螺旋状に並行して形成されている。
【００４０】
なお、このキー溝５４の長さは、キー溝５４の後端が、リブ１０やレバー保持ロック１１のレバー保持用突起１１Ａの位置まで挿入されたときに、先端部のスクリュウ溝５５Ａ、５５Ｂの起点（先端）が、雄ハウジング３の一対のレバー係合板１６の対向面に突設された係合突起１６Ａを共に拾う（収容する）ことを可能にする長さに設定されている。
【００４１】
また、キー溝５４の後端は、レバー本体５１の周方向に周回して形成されたレバー抜け止め溝５６に連続するよう形成されている。このレバー抜け止め溝５６におけるレバー本体５１の先端側に位置する壁部（側壁面）５７には、図８に示すように、所定領域に段部５７Ａが形成されている。段部５７Ａの一方の端部は、壁部５７にテーパ面５７Ｂを介して連続して形成されている。
【００４２】
さらに、図１及び図３に示すように、レバー本体５１におけるレバー抜け止め溝５６の後側（レバー本体５１の後端側）には、回転防止用ロック１２の回転ロック部１２Ｄが収容される回転ロック用凹部５８が形成されている。図９に示すように、この回転ロック用凹部５８は、レバー５を操作して、雌ハウジング２と雄ハウジング３との結合が完了したときに、回転防止用ロック１２の回転ロック部１２Ｄが収容されるように位置設定されている。また、図１０に示すように、回転ロック用凹部５８のレバー本体５１の周方向の長さは、回転ロック部１２Ｄの幅寸法より極僅かに長く設定されている。なお、図１０は図９のｃ−ｄ断面図である。
【００４３】
［レバー嵌合式コネクタの作用・動作］
次に、本実施の形態に係るレバー嵌合式コネクタ１の作用・動作を説明する。
【００４４】
（結合操作）
まず、図１に示すように、ムービングプレート４を雄ハウジング３にセットする。このとき、ムービングプレート４に形成された端子挿入孔１７には、雄ハウジング３のフード部１４内で突出する、図示しない雄端子金具がそれぞれ対応するように挿入しておく。また、図９に示すように、雌ハウジング２のスルー配索用通路８には、スルー配索に必要なワイヤーハーネスＷを挿通させておく。
【００４５】
次に、雌ハウジング２と雄ハウジング３との結合面同士を合わせて仮係止させる。そして、レバー５を雌ハウジング２側からレバー挿通孔６に、先端側から挿入する。このとき、レバー５のレバー本体５１に形成されたキー溝５４がレバー挿通孔６内に向けて突設されたリブ１０を収容するように、レバー５を回動操作して位置合わせする。すると、キー溝５４がレバー本体５１の軸方向に沿った直線状の溝であるため、キー溝５４内にリブを収容した状態でレバー本体５１をレバー挿通孔６に挿入することが可能となる。
【００４６】
その後、レバー本体５１のレバー挿通孔６内への挿入が進むと、リブ１０が抜け止め溝５６の側壁に当接してそれ以上の挿入が阻止される。このようにリブ１０が抜け止め溝５６に移動すると同時に、レバー保持ロック１１のレバー保持用突起１１Ａは、図４に示すように、壁部５７側を乗り越えて反発性により抜け止め溝５６内に落ち込む。すると、レバー本体５１は、レバー保持用突起１１Ａにより進退動作が阻止されることにより、レバー５が雌ハウジング２に仮係止される。なお、この状態では、レバー保持ロック１１は、外側に撓んだ後に抜け止め溝５６に収納されるため、そのオーバーストローク分の寸法は、壁部５７との間にクリアランスとして存在する。
【００４７】
このとき、レバー本体５１のスクリュウ溝５５Ａ、５５Ｂの先端部は、雄ハウジング３の一対のレバー係合板１６の対向面に突設された係合突起１６Ａを共に拾い得る状態にある。加えて、この仮係止状態において、回転防止用ロック１２の回転ロック部１２Ｄは、レバー本体５１に形成された回転ロック用凹部５８の周方向に隣接する凹部５９に収容されている。
【００４８】
次に、本実施の形態では、このように仮係止されたレバー５の操作部５２、５３を、反時計回り方向に回動操作することにより、スクリュウ溝５５Ａ、５５Ｂの先端部がレバー係合板１６の係合突起１６Ａを拾って（収容して）、雌ハウジング２と雄ハウジング３とを互いに引きつけて嵌合させる。
【００４９】
雌ハウジング２に仮係止されたレバー５の回動が所定の回転角度（本実施の形態では２７０°程度）に至ったときに、係合突起１６Ａがスクリュウ溝５５Ａ、５５Ｂの後端部に位置するようになっている。このとき、回転防止用ロック１２の回転ロック部１２Ｄは、凹部５９と回転ロック用凹部５８とを隔てる壁部を乗り越えて回転ロック用凹部５８に収容される。この時点で、回転ロック部１２Ｄが回転ロック用凹部５８に係合して、レバー本体５１の回転動作は阻止された状態（本係止状態）となる。このとき、レバー保持ロック１１のレバー保持用突起１１Ａは、壁部５７に沿って相対移動してテーパ面５７Ｂを経て段部５７Ａ上に当接してクリアランスがなくなり、レバー５が軸方向にがたつことを防止できる。これと同時に、リブ１０は、抜け止め溝５６におけるキー溝５４から外れた位置に相対移動するため、レバー保持ロック１１と共にレバー５の軸方向の移動を阻止する。  そして、レバー５の回動が阻止されたことにより、スクリュウ溝５５Ａ、５５Ｂに対して係合突起１６Ａの位置は変化することがなく、雌ハウジング２と雄ハウジング３との嵌合は、保持された状態となる。
【００５０】
（解除操作）
次に、上述のように雌ハウジング２と雄ハウジング３とが結合された状態のレバー嵌合式コネクタ１の結合を解除させる操作について説明する。
【００５１】
まず、図５（ｂ）に示すように、指で解除操作用板部１２Ｂをレバー挿通孔６の内側へ向けて（図中太い矢印で示す）押圧する。すると、支持部１２Ａを支点にして、回転ロック用凹部５８内に収容されている回転ロック部１２Ｄが外側へ（図中太い矢印で示す）移動してレバー本体５１が回転可能となる。
【００５２】
この状態で、操作部５２、５３を持って、結合操作とは逆の方向（本実施の形態では時計回り方向）に回動して、レバー本体５１に形成されたキー溝５４がリブ１０と同一直線上に位置するようにする。この結果、スクリュウ溝５５Ａ、５５Ｂ内の係合突起１６Ａがスクリュウ溝５５Ａ、５５Ｂの先端部まで案内、駆動されて雌ハウジング２と雄ハウジング３との嵌合は解除される。この状態では、抜け止め溝５６にレバー保持ロック１１のレバー保持用突起１１Ａが収容されているため、抜け止め溝５６の壁部５７にレバー保持用突起１１Ａが当たってレバー本体５１をレバー挿通孔６から抜き出すことはできない。
【００５３】
そこで、レバー解除用突起１１Ｂを解除用治具等を用いて図４に示す一点鎖線で示す位置まで外側に撓ませることにより、レバー本体５１の軸方向の移動が可能となる。この状態で、レバー本体５１をレバー挿通孔６から引き抜くことが可能となる。
【００５４】
上述の本実施の形態のレバー嵌合式コネクタ１によれば、雌ハウジング２に形成されたレバー挿通孔６の内壁６Ａに設けられたリブ１０と、レバー５に形成されたキー溝５４とが一致したときにだけ、レバー５をレバー挿通孔６内に挿入することができるため、レバー５が雌ハウジング２内に所定の回転位置以外に位置するときに挿入されることが防止でき、所謂誤結合を防止することができる。
【００５５】
また、本実施の形態によれば、レバー挿通孔６の内壁６Ａに設けられた可撓性を有するレバー保持ロック１１とリブ１０とが、レバー５に形成された抜け止め部としての、抜け止め溝５６の壁部５７に同時に当接してレバー５を抜け止め保持することができるため、レバー５を雌ハウジング２に仮係止（保持）する保持力を大きくすることができる。また、レバー保持ロック１１とリブ１０で軸方向の移動が規制されたレバー５を雌ハウジング２が離脱させるには、一旦、回転防止用ロック１２を外した状態で、レバー保持ロック１１がレバー５に係合している状態のみ解除する操作を行えばよいため、レバー解除作業性を向上することができる。
【００５６】
さらに、本実施の形態によれば、レバー５のキー溝５４に、レバー挿通孔６の内壁６Ａに設けられたリブ１０が収容されることで、レバー５をレバー挿通孔６へ挿入することが可能となるため、レバー挿通孔６とレバー５との間でがたつきが発生しない程度に密に嵌合する寸法設定が可能となる。このため、可撓性を有するレバー保持ロック１１の強度や大きさに関係なく、レバー５がぐらつくことがない。したがって、雌ハウジング２にレバー５を保持した状態でレバー５を回動させて、雄ハウジング３を雌ハウジング２に結合させる場合に、レバー５のぐらつきを抑えることができ、雄ハウジング３を確実に雌ハウジング２側に結合させることができる。
【００５７】
また、本実施の形態によれば、リブ１０と、レバー保持ロック１１におけるレバー保持用突起１１Ａと、がレバー保持ロック１１のオーバーストローク分だけレバー本体５１の長手方向にずれた位置に配置されているため、図８に示すように、レバー５には、リブ１０が当接する幅広部５６Ａの壁面（壁部５７）と、本係止状態にあるときにレバー保持ロック１１のレバー保持用突起１１Ａと当接する幅狭部５６Ｂの壁面（段部５７Ａ）とが形成されており、レバー５のがたつきを防止することができる。具体的には、幅広部５６Ａの壁面（壁部５７）と幅狭部５６Ｂの壁面（段部５７Ａ）とをテーパ面５７Ｂで連続させたことにより、雌雄ハウジング２、３の嵌合を行うために、レバー５を回動操作する際に、レバー保持ロック１１のレバー保持用突起１１Ａがテーパ面５７Ｂを滑って幅狭部５６Ｂの壁面（段部５７Ａ）がレバー保持用突起１１Ａに対して円滑に移動することができるため、操作性を向上することができる。
【００５８】
さらに、本実施の形態によれば、レバー５の基部に操作部５２、５３を一体に設けたことにより、レバー５の回動操作を容易にすることができる。
【００５９】
［その他の実施の形態］
上述した実施の形態の開示の一部をなす論述および図面はこの発明を限定するものであると理解すべきではない。この開示から当業者には様々な代替実施の形態、実施例および運用技術が明らかとなろう。
【００６０】
例えば、上記した実施の形態では、レバー保持ロック１１とリブ１０とが、同じ抜け止め溝５６内に同時に入るように設定したが、図１１に示すように、雌ハウジング２のレバー挿通孔６に、レバー５を保持する際に、内壁６Ａに設けたリブ１０が当接してレバー５の軸方向の移動を規制する第１の抜け止め溝５６と、この第１の抜け止め溝５６と平行な第２の抜け止め溝６０とを、レバー５に形成する構成としても勿論よい。この場合、レバー５とレバー保持ロックと１１がレバー挿通孔６の軸方向に互いに異なる位置にあっても同時にレバー５を抜け止め保持することが可能となる。
【００６１】
また、上述した実施の形態では、レバー５を雌ハウジング２に仮係止する構成であるが、雄ハウジング３に仮係止する構成としても勿論よい。
【００６２】
さらに、上記した実施の形態では、雌ハウジング２と雄ハウジング３とを単に結合させる場合について説明したが、これらの間に、例えば自動車のインストルメントパネルを介して、車室内側とエンジンルーム側のコネクタハウジング同士を結合させる場合に適用することが可能である。この場合、インストルメントパネルに貫通孔を形成し、一方のハウジングをインストルメントパネルに保持した状態で、他方のハウジングをインストルメントパネルの反対側から仮係止し、例えば車室内側からレバー５を回転操作することにより、コネクタハウジング同士を結合させることが可能となり、コネクタの装着作業を容易にすることができる。
【図面の簡単な説明】
【００６３】
【図１】本発明の実施の形態に係るレバー嵌合式コネクタの分解斜視図である。
【図２】本発明の実施の形態に係るレバー嵌合式コネクタの分解側面図である。
【図３】本発明の実施の形態に係るレバー嵌合式コネクタの分解斜視図である。
【図４】本発明の実施の形態に係るレバー嵌合式コネクタの要部断面図である。
【図５】（Ａ）は本発明の実施の形態に係るレバー嵌合式コネクタの回転防止用ロックの正面図、（Ｂ）は（Ａ）のａ−ｂ断面図である。
【図６】本発明の実施の形態に係る雌ハウジングの要部斜視図である。
【図７】本発明の実施の形態に係るレバーの側面図である。
【図８】本発明の実施の形態に係るレバーの要部側面図である。
【図９】本発明の実施の形態に係るレバー嵌合式コネクタの雌ハウジングとレバーとが本係合した状態を示す断面図である。
【図１０】図９のｃ−ｄ断面図である。
【図１１】他の実施の形態に係るレバーを示す斜視図である。
【図１２】従来のコネクタの断面図である。
【図１３】従来のコネクタの要部斜視図である。
【符号の説明】
【００６４】
１  レバー嵌合式コネクタ
２  雌ハウジング
３  雄ハウジング
５  レバー
６  レバー挿通孔
６Ａ  内壁
１０  リブ
１１  レバー保持ロック
１１Ａ  レバー保持用突起
１１Ｂ  レバー解除用突起
１２  回転防止用ロック
１２Ｄ  回転ロック部
１６Ａ  係合突起
５１  レバー本体
５２，５３  操作部
５４  キー溝
５５Ａ，５５Ｂ  スクリュウ溝
５６  抜け止め溝
５７  壁部
５７Ａ  段部
５７Ｂ  テーパ面
５８  回転ロック用凹部
【図１】
2006073411.tif 000003
【図２】
2006073411.tif 000004
【図３】
2006073411.tif 000005
【図４】
2006073411.tif 000006
【図５】
2006073411.tif 000007
【図６】
2006073411.tif 000008
【図７】
2006073411.tif 000009
【図８】
2006073411.tif 000010
【図９】
2006073411.tif 000011
【図１０】
2006073411.tif 000012
【図１１】
2006073411.tif 000013
【図１２】
2006073411.tif 000014
【図１３】
2006073411.tif 000015